(57)【要約】【課題】従来と比して容易にカセット構成とスタッカ構成とを切り換えることができるようにする。【解決手段】下部フレーム３０の側面に、着脱可能で、各カセット収容部３１から各収納カセット１５を取り外すことができないようにロックする為のカセットロック部３５を取り付けるようにした。これにより、現金自動預払機１は、カセットロック部３５を下部フレーム３０に取り付ければスタッカ構成となり、カセットロック部３５を下部フレーム３０から取り外せばカセット構成となる為、カセットロック部３５を下部フレーム３０に取り付けるか、下部フレーム３０から取り外すかといった簡易な作業で、カセット構成とスタッカ構成とを切り換えることができる。【選択図】図３
2019206442.tif 000002
【特許請求の範囲】
【請求項１】
筐体と、
媒体が収納される収納カセットと、
前記筐体に対して引出及び収納可能に設けられ、少なくとも１つの前記収納カセットを装着可能なフレームと、
前記フレームに装着された前記収納カセットが、当該フレームから取り外されることを規制する着脱規制部と
を有し、
前記着脱規制部は、
前記フレームの一面に設けられ、当該フレームから前記収納カセットが取り外されることを規制する規制部材と、
前記規制部材を、前記フレームから前記収納カセットを取り外すことができないようにするロック状態、又は前記フレームから前記収納カセットを取り外すことができるようにするロック解除状態に切り替える為のロック機構と
を有し、
前記ロック機構は、
前記一面と平行な方向にスライドして、前記規制部材を前記ロック状態から前記ロック解除状態となる方向に可動させるスライドバー
を有することを特徴とする媒体処理装置。
【請求項２】
前記収納カセットは、
前記フレームから取り外されようとしたときに、前記規制部材に引っ掛かることで取り外しが規制される凸部が形成される
ことを特徴とする請求項１に記載の媒体処理装置。
【請求項３】
前記ロック機構は、
錠部を有し、当該錠部に対する開錠操作に応じて、前記スライドバーをスライドさせることにより前記規制部材を前記ロック状態から前記ロック解除状態に切り替え、前記錠部に対する施錠操作に応じて、前記スライドバーをスライドさせることにより前記規制部材を前記ロック解除状態から前記ロック状態に切り替える
ことを特徴とする請求項１又は２に記載の媒体処理装置。
【請求項４】
前記フレームは、
複数の前記収納カセットを装着可能であり、
前記着脱規制部は、
複数の前記収納カセットのそれぞれを前記フレームから取り外すことができないようにロックする複数の前記規制部材を有し、前記ロック機構により、複数の前記規制部材を一括で前記ロック状態又は前記ロック解除状態に切り替える
ことを特徴とする請求項１〜３のいずれかに記載の媒体処理装置。
【請求項５】
前記フレームは、
複数の前記収納カセットを装着可能であり、
前記着脱規制部は、
前記フレームに装着された複数の前記収納カセットのうちの特定の収納カセットの着脱を規制する前記規制部材を有し、前記ロック機構により、複数の前記収納カセットのうちの特定の収納カセットのみを前記フレームから取り外すことができないようにロックする
ことを特徴とする請求項１〜３のいずれかに記載の媒体処理装置。
【発明の詳細な説明】
【技術分野】
【０００１】
本発明は、媒体処理装置に関するものであり、例えば媒体としての紙幣を収納する紙幣収納部を有する現金自動預払機（ＡＴＭ：Automatic  Teller  Machine）に適用して好適なものである。
【背景技術】
【０００２】
従来、金融機関等で使用される現金自動預払機は、筐体の内部に、顧客に出金する紙幣や顧客から入金された紙幣などを金種ごとに収納する紙幣収納部を有している。紙幣収納部は、例えば、複数の収納カセットと、これら複数の収納カセットを着脱自在に収容するフレームとで構成され、現金自動預払機の筐体内部からフレームごと引き出すことができるようになっている（例えば特許文献１参照）。
【０００３】
また、紙幣収納部の各収納カセットは、扉のロックを鍵で解除することで内部にアクセスできるようになっている。このようなカセット構成の紙幣収納部を有する現金自動預払機では、筐体から引き出したフレームから収納カセットを取り出して、新たな収納カセットに交換することで紙幣を補充、交換するといったカセット運用が可能となっている。
【０００４】
また一方で、従来の現金自動預機には、紙幣収納庫としての複数のスタッカが紙幣収納部のフレームに固定されていて、各スタッカの扉のロックを鍵で一括解除できるようにした、スタッカ構成のものがある。このようなスタッカ構成の現金自動預払機では、専用の紙幣装填カセットから紙幣を補充し、スタッカ部での障害があった場合のみ、筐体からフレームごと引き出した各スタッカの扉のロックを鍵で一括解除して、各スタッカの内部にアクセスすることで不良紙幣などを除去し障害状態から復旧させるといったスタッカ運用が可能となっている。
【先行技術文献】
【特許文献】
【０００５】
【特許文献１】特開２０１４−１３５０９９号公報
【発明の概要】
【発明が解決しようとする課題】
【０００６】
ところで、従来の現金自動預払機では、カセット構成からスタッカ構成に切り換えようとすると、例えば、カセット構成の紙幣収納部を、スタッカ構成の紙幣収納部に交換したりしなければならず、容易にカセット構成とスタッカ構成とを切り換えることができないという問題を有していた。
【０００７】
本発明は以上の点を考慮したもので、従来と比して、容易にカセット構成とスタッカ構成とを切り換えることのできる媒体処理装置を提案しようとするものである。
【課題を解決するための手段】
【０００８】
かかる課題を解決するため本発明においては、筐体と、媒体が収納される収納カセットと、前記筐体に対して引出及び収納可能に設けられ、少なくとも１つの前記収納カセットを装着可能なフレームと、前記フレームに装着された前記収納カセットが、当該フレームから取り外されることを規制する着脱規制部とを有し、前記着脱規制部が、前記フレームの一面に設けられ、当該フレームから前記収納カセットが取り外されることを規制する規制部材と、前記規制部材を、前記フレームから前記収納カセットを取り外すことができないようにするロック状態、又は前記フレームから前記収納カセットを取り外すことができるようにするロック解除状態に切り替える為のロック機構とを有し、前記ロック機構が、前記一面と平行な方向にスライドして、前記規制部材を前記ロック状態から前記ロック解除状態となる方向に可動させるスライドバーを有する。
【０００９】
これにより、着脱規制部においてロック機構により規制部材をロック状態に切り替えれば、フレームから収納カセットが取り外されることを規制できる為、スタッカ構成となり、着脱規制部においてスライドバーをスライドさせてロック機構により規制部材をロック解除状態に切り替えれば、フレームから収納カセットが着脱規制部による規制を受けずに着脱可能となる為、カセット構成となり、カセット構成とスタッカ構成とを容易に切り換えることができる。
【発明の効果】
【００１０】
本発明は、従来と比して容易にカセット構成とスタッカ構成とを切り換えることのできる媒体処理装置を実現できる。
【図面の簡単な説明】
【００１１】
【図１】現金自動預払機の内部構成を示す側面図である。
【図２】現金自動預払機のユニット構成を示す図である。
【図３】第１の実施の形態における下部ユニットの外観構成を示す斜視図である。
【図４】第１の実施の形態におけるカセットロック部の動きを示す側面図である。
【図５】収納カセットをカセット収容部から引き出そうとしたときに、収納カセットがカセットロック部のロックレバーに引っ掛かる様子を示す側面図である。
【図６】第１の実施の形態におけるカセット収容部に収納カセットを装着するときのロックレバーの動きを示す側面図である。
【図７】第１の実施の形態におけるカセットロック部の内部構成（ロック時）を示す図である。
【図８】第１の実施の形態におけるカセットロック部の内部構成（ロック解除時）を示す図である。
【図９】ロックレバー部の構成を示す図である。
【図１０】ロックレバー部とスライドバーの動きを示す図である。
【図１１】第２の実施の形態におけるカセットロック部の外観構成を示す斜視図である。
【図１２】鍵孔カバーの開閉動作を示す側面図である。
【図１３】鍵孔カバーを開けたまま、下部フレームを筐体に収納しようとしたときに、鍵孔カバーが筐体に接触する様子を示す斜視図である。
【図１４】第３の実施の形態における下部フレーム、カセットロック部及び収納カセットの外観構成を示す斜視図である。
【図１５】第３の実施の形態におけるカセットロック部の動きを示す側面図である。
【図１６】他の実施の形態におけるカセットロック部の外観構成を示す斜視図である。
【図１７】他の実施の形態におけるカセットロック部の構成及び動きを示す側面図である。
【発明を実施するための形態】
【００１２】
以下、発明を実施するための形態について、図面を用いて詳細に説明する。
【００１３】
［１．第１の実施の形態］
［１−１．現金自動預払機の全体構成］
まず、第１の実施の形態について説明する。図１に示すように、現金自動預払機１は、箱状の筐体２を中心に構成されており、例えば金融機関等に設置され、顧客との間で入金取引や出金取引等の現金に関する取引を行う。以下では、現金自動預払機１のうち顧客が対峙する側を前側とし、その反対を後側とし、当該前側に対峙した顧客から見て上下左右をそれぞれ上側、下側、左側及び右側と定義する。
【００１４】
筐体２の前面中央には、紙幣の入出口となる入出金口３が設けられている。また、この入出金口３の上方には、図示しない、カード入出口、操作表示部、レシート発行口などが設けられていて、顧客との間で現金、キャッシュカード、レシート等をやり取りすると共に、取引に関する情報の表示や操作の受付を行うようになっている。
【００１５】
筐体２の内部には、紙幣入出金機４が設けられている。紙幣入出金機４は、入金取引や出金取引等の種々の処理を行うユニットである。この紙幣入出金機４内の上部には、筐体２の前面中央に位置する入出金口３を有する紙幣入出金部１０と、紙幣の金種や真偽を鑑別する鑑別部１１と、入金紙幣などを一時的に収納する一時保留部１２が設けられている。紙幣入出金部１０の入出金口３には、シャッタ１３が設けられていて、このシャッタ１３が開閉することで、入出金口３を開放及び閉塞するようになっている。
【００１６】
また、紙幣入出金機４内の下部には、紙幣を金種別に収納する紙幣収納部１４が設けられている。紙幣収納部１４の内部には、上下方向に長い直方体形状でなる複数の収納カセット１５（１５Ａ〜１５Ｄ）が前後方向に並設されている。さらに、紙幣入出金機４内の後部には、装填庫１６、取込庫１７及びリジェクト庫１８が上下方向に並設されている。さらに装填庫１６は、その一部が集積庫１６Ａとリジェクト庫１６Ｂになっている。
【００１７】
さらに、紙幣入出金機４の内部には、各部を繋ぐ搬送部１９が設けられている。搬送部１９は、図示しないローラやベルト等により、図中太線で示す搬送路に沿って紙幣を搬送するようになっている。また、搬送部１９の分岐点には、図示しないセレクタが設けられていて、このセレクタにより、紙幣の搬送先を切り替えることができるようになっている。
【００１８】
さらに、紙幣入出金機４は、図２に示すように、紙幣収納部１４が含まれる下部ユニット４Ａと、装填庫１６と取込庫１７とリジェクト庫１８が含まれる後部ユニット４Ｂとが、紙幣入出金機４の筐体４Ｃから後方へ引き出すようにして筐体４Ｃから図示せぬスライドレールにて後方へ引き出すことができ、また引き出した下部ユニット４Ａと後部ユニット４Ｂとを、紙幣入出金機４の筐体４Ｃ内へ押し入れるようにして収納できるようになっている。
【００１９】
紙幣入出金機４は、このような構成でなり、鑑別部１１による紙幣の鑑別結果等をもとに、図示しない制御部が各部を制御して、紙幣の入金処理及び出金処理を行う。
【００２０】
すなわち、現金自動預払機１は、入金取引時、シャッタ１３を開き、その後、顧客によって入出金口３に紙幣が投入されると、シャッタ１３を閉じて、投入された紙幣を紙幣入出金部１０から１枚ずつ繰り出して鑑別部１１に搬送する。ここで現金自動預払機１は、鑑別部１１の鑑別結果に基づき入金可能紙幣と判定された紙幣については一時保留部１２に搬送して一時的に収納する一方で、入金に適さない入金不可紙幣と判定された紙幣については紙幣入出金部１０へ戻して、シャッタ１３を開くことで顧客に返却する。
【００２１】
その後、顧客との間で入金取引が確定すると、現金自動預払機１は、一時保留部１２に収納している紙幣を鑑別部１１に搬送して鑑別結果を得る。ここで、現金自動預払機１は、鑑別部１１の鑑別結果に基づき収納可能紙幣と判定された紙幣については、その金種に対応する収納カセット１５（１５Ａ〜１５Ｄ）へ搬送して収納する。一方で現金自動預払機１は、収納に適さない収納不可紙幣と判定された紙幣については、リジェクト庫１８に搬送して保管する。
【００２２】
また、現金自動預払機１は、出金取引時、顧客からの要求金額に応じて必要な金種毎の紙幣枚数を認識し、この金種毎の紙幣枚数に応じて各収納カセット１５（１５Ａ〜１５Ｄ）から紙幣を繰り出して、鑑別部１１に搬送して鑑別結果を得る。ここで、現金自動預払機１は、鑑別部１１の鑑別結果に基づき出金可能紙幣と判定された紙幣については紙幣入出金部１０に搬送する一方で、出金に適さない出金不可紙幣と判定された紙幣についてはリジェクト庫１８へと搬送して保管する。そして、要求金額分の紙幣が紙幣入出金部１０に集積されると、現金自動預払機１は、シャッタ１３を開ける。
【００２３】
このようにして、現金自動預払機１は、紙幣の入金取引及び出金取引を行うようになっている。また、現金自動預払機１は、入金取引時及び出金取引時に、入出金部に搬送した紙幣で顧客が取り忘れた紙幣については、取込庫１７に搬送して保管するようになっている。
【００２４】
さらに、現金自動預払機１は、紙幣補充時、装填庫１６に装填されている紙幣を１枚ずつ装填庫１６から繰り出して、鑑別部１１に送る。ここで現金自動預払機１は、鑑別部１１の鑑別結果に基づき補充可能紙幣と判定された紙幣については、その金種に対応する収納カセット１５（１５Ａ〜１５Ｄ）へ搬送して収納する一方で、補充に適さない補充不可紙幣と判定された紙幣については装填庫１６のリジェクト庫１６Ｂへ搬送して保管する。
【００２５】
このように、現金自動預払機１は、紙幣の補充を行うようになっている。また、現金自動預払機１は、装填庫１６から１枚ずつ繰り出した紙幣を、鑑別部１１を通して、装填庫１６の集積庫１６Ａに集積することで、装填庫１６に装填されている紙幣を計数できるようにもなっている。
【００２６】
［１−２．下部ユニットの構成］
次に、図３〜図６を用いて、紙幣入出金機４の下部ユニット４Ａについて説明する。図３（Ａ）の斜視図に示すように、下部ユニット４Ａは、前後方向に長い直方体形状でなる下部フレーム３０によって形成されている。この下部フレーム３０には、複数の収納カセット１５（１５Ａ〜１５Ｄ）をそれぞれ収容する為の複数のカセット収容部３１（３１Ａ〜３１Ｄ）が前後方向に並設されている。各カセット収容部３１は、収納カセット１５の形状に合わせた形状（すなわち上下方向に長い直方体形状）でなり、上面が収納カセット１５の挿入口となっている。尚、下部ユニット４Ａは、この下部フレーム３０の上側に、各カセット収容部３１を覆う蓋状のフレームが開閉自在に取り付けられている場合もあるが、ここでは省略する。
【００２７】
つまり、下部フレーム３０は、カセット収容部３１の上方からカセット収容部３１内に収納カセット１５を挿入することで、収納カセット１５をカセット収容部３１に装着でき、また、カセット収容部３１に装着されている収納カセット１５を上方に引き出すことで、カセット収容部３１から収納カセット１５を取り外すことができるようになっている。
【００２８】
さらに、下部フレーム３０は、左右両側面のうちの一側面（例えば左側面）の下部に、下半分を占有する程度の大きさでなる箱型の基板収容部３２が設けられている。この基板収容部３２は、左右方向の長さ（これを厚さとする）が、下部フレーム３０の左右方向の長さよりも十分短くなっている。この基板収容部３２の内部には、収納カセット１５を駆動させる為のＩＣなどが実装された基板が収容されている。
【００２９】
さらに、下部フレーム３０の左側面には、基板収容部３２の上方に、複数のカセット収容部３１（３１Ａ〜３１Ｄ）のそれぞれと連通する複数の孔３３（３３Ａ〜３３Ｄ）が形成されている。この孔３３は、上下方向に長い長方形の孔であり、以下、フレーム側孔３３と呼ぶ。
【００３０】
また、各収納カセット１５の左側面にも、カセット収容部３１に装着されたときにフレーム側孔３３と対向する位置に、フレーム側孔３３と同形状同サイズでなる孔３４が設けられている。以下、この孔３４を、カセット側孔３４と呼ぶ。
【００３１】
これら、フレーム側孔３３とカセット側孔３４は、詳しくは後述するが、カセット収容部３１から収納カセット１５を取り外すことができないようにロックする為のロックレバーが挿入される孔である。尚、カセット側孔３４については、ロックレバーが挿入される孔でなくてもよく、例えば、ロックレバーが嵌入される溝や凹みであってもよい。
【００３２】
さらに、下部フレーム３０の左側面には、全てのフレーム側孔３３を覆うことができるように前後方向に長く、図３（Ｂ）に示すように左右方向の長さが基板収容部３２の厚さ以下でなる箱型のカセットロック部３５が取り付けられている。
【００３３】
図３（Ｃ）に示すように、このカセットロック部３５の裏面（下部フレーム３０の左側面と対向する面）には、複数のフレーム側孔３３のそれぞれと対向する位置に、ロック部側孔３６（３６Ａ〜３６Ｄ）が形成され、さらに、このロック部側孔３６（３６Ａ〜３６Ｄ）から外側に突出するロックレバー３７（３７Ａ〜３７Ｄ）が設けられている。
【００３４】
各ロックレバー３７（３７Ａ〜３７Ｄ）は、フレーム側孔３３及びカセット側孔３４に挿入可能な、断面が上下方向に長い長方形でなる板状のレバーでなり、図４（Ａ）に示すように、先端が下部フレーム３０のフレーム側孔３３を通り、カセット収容部３１に収容された収納カセット１５のカセット側孔３４に挿入されるようになっている。
【００３５】
このように、ロックレバー３７をカセット側孔３４に挿入することで、カセットロック部３５は、図５に示すように、収納カセット１５をカセット収容部３１から上方に引き出そうとしても、カセット側孔３４の下側の縁が、この縁と平行でなるロックレバー３７の下面に引っ掛かって、引き出すことができないようになっている。このようにして、カセットロック部３５は、収納カセット１５をカセット収容部３１から取り外すことができないようにロックする。
【００３６】
また、カセットロック部３５は、図４（Ｂ）に示すように、裏面とは反対側の表面に設けられた鍵孔３５Ａに鍵３８を差し込んで開錠方向に回す開錠操作が行われると、全てのロックレバー３７を一括して内部に引き入れることにより、カセット収容部３１から収納カセット１５を取り外すことができるようにロックを解除する。尚、ここでは、ロックレバー３７の先端が、フレーム側孔３３を通過した状態をロック状態とし、ロックレバー３７の先端が、フレーム側孔３３を通過していない状態をロック解除状態とする。
【００３７】
また、カセットロック部３５は、図６（Ａ）に示すロック状態（すなわちロックレバー３７の先端がフレーム側孔３３を通過した状態）を維持するようにロックレバー３７がバネなどにより裏面から外側に向かって突出する方向に付勢されている。さらに、ロックレバー３７は、上面が先端側に向かって下方に傾斜する傾斜面となっていて、先細り形状となっている。より具体的には、収納カセット１５を下部フレーム３０に装着する方向の上流側から下流側へ向かうにつれて（すなわち下方に向かうにつれて）ロックレバー３７がよりカセット収容部３１内へ進入するような形状となっている。
【００３８】
また、ロックレバー３７の下面には、左右方向に延びる水平面が形成され、ロックレバー３７がロック状態のままで収納カセット１５が取り外されようとした場合に、ロックレバー３７の下面にカセット側孔３４の下辺が接触することで、収納カセット１５の取り外しを規制するようになっている。より好ましくは、ロックレバー３７の下面に、収納カセット１５を下部フレーム３０から取り外す方向の上流側から下流側に向かって傾斜する傾斜面（つまりロックレバー３７の下面の先端側よりも根元側の方が上方に位置するような傾斜面）を形成するようにしてもよい。このようにすれば、ロックレバー３７がロック状態のままで収納カセット１５を無理に取り外そうとしても、ロックレバー３７がカセットロック部３５側へ引き込まれてカセット側孔３４から外れてしまうことを防止できる。
【００３９】
ここで、ロックレバー３７をロック状態にしたまま、カセット収容部３１の上方から収納カセット１５をカセット収容部３１内に挿入していくと、図６（Ｂ）に示すように、収納カセット１５の底部がロックレバー３７の傾斜面に当接する。さらに、収納カセット１５を下方に挿入していくと、収納カセット１５の底部と当接したロックレバー３７は、バネなどの付勢に抗してカセットロック部３５内へと押し込まれていくことで退避する（つまり一旦ロック解除状態となる）。
【００４０】
そのまま、さらに、収納カセット１５を下方に挿入していき、カセット収容部３１への装着が完了すると、図６（Ｃ）に示すように、ロックレバー３７と対向する位置に、収納カセット１５のカセット側孔３４が到達することにより、ロックレバー３７がバネの力で押し戻されてカセット側孔３４に挿入され、ロック状態に戻る。
【００４１】
このように、カセットロック部３５は、カセット収容部３１に収納カセット１５を装着する過程で、この収納カセット１５を自動的にロックできるようになっている。
【００４２】
さらに、このカセットロック部３５は、下部フレーム３０に対して着脱可能となっている。より具体的には、下部フレーム３０の外側において、カセットロック部３５に設けられた図示しない締結箇所と下部フレーム３０の左側面とを、ネジもしくはカシメにより締結することで、カセットロック部３５が下部フレーム３０に対して着脱可能に取り付けられるようになっている。また、このカセットロック部３５は、上述したように箱型であり、且つ下部フレーム３０に取り付けられたときに、ロックレバー３７（３７Ａ〜３７Ｄ）が突出する為のロック部側孔３６（３６Ａ〜３６Ｄ）などが設けられた裏面側が、下部フレーム３０の左側面と密着する為、外部からカセットロック部３５の内部にアクセスできないようになっている。このようにして、下部ユニット４Ａは、カセットロック部３５のセキュリティを確保している。
【００４３】
［１−３．カセットロック部の構成］
次に、図７〜図１０を用いて、カセットロック部３５の構成についてさらに詳しく説明する。図７（Ａ）、図８（Ａ）に示すように、カセットロック部３５は、前後方向に長い箱型の筐体４０の内部にロック機構４１を有している。ロック機構４１は、複数のロックレバー部４２（４２Ａ〜４２Ｄ）と、錠部４３と、リンク部材４４と、スライドバー４５とで構成されている。
【００４４】
複数のロックレバー部４２（４２Ａ〜４２Ｄ）は、同一構成でなり、前後方向に所定の間隔を隔てて設けられている。図７（Ｃ）、図８（Ｃ）、図９（Ａ）、（Ｂ）に示すように、各ロックレバー部４２は、筐体４０の裏面の内壁に沿って上下方向に延びる中央板部５０と、中央板部５０の両側面からそれぞれ中央板部５０と直交するように筐体４０の裏面の内壁側へと延びる側板部５１Ａ、５１Ｂと、側板部５１Ａの上端から側板部５１Ａと直交するように側板部５１Ｂの上端側へと延びる上板部５２とで構成されている。また、各ロックレバー部４２は、側板部５１Ａの下部に、ロックレバー３７が一体に形成され、上板部５２の上面に、円柱状のコロ５３が取り付けられている。尚、各ロックレバー部４２の中央板部５０、側板部５１Ａ、５１Ｂ及び上板部５２は、強度を保つ為に１枚の金属板を折り曲げて成形されている。
【００４５】
さらに、各ロックレバー部４２は、側板部５１Ａの上端近傍と側板部５１Ｂの上端近傍との間を通る、筐体４０の裏面と平行（すなわち下部フレーム３０の左側面と平行）な軸６０によって回転自在に支持されている。この軸６０は、筐体４０の裏面の内壁から突出する軸受け部６１に嵌合されている。各ロックレバー部４２は、この軸６０を中心に回転することにより、ロックレバー３７を、ロック部側孔３６から筐体４０の外側に突出させたり、また筐体４０の内部に収容したりするようになっている。
【００４６】
尚、各ロックレバー部４２は、回転軸となる軸６０がロックレバー部４２の上下方向の中央より上側に位置していることにより、軸６０より下側の部分の方が、軸６０より上側の部分より回転時の変位量が大きくなる。こうすることで、各ロックレバー部４２は、軸６０より上側の部分は筐体４０内部に収容したまま、軸６０より下側のロックレバー３７のみを筐体４０の外側に突出させたり、内部に収容したりすることができる。
【００４７】
さらに、各ロックレバー部４２は、軸６０に嵌入されたトーションバネ６２により、ロックレバー３７をロック部側孔３６から突出させる方向（すなわちロック状態となる方向）に回転するよう付勢されている。
【００４８】
また、図７（Ａ）、図８（Ａ）に示すように、錠部４３は、鍵孔３５Ａを有し、リンク部材４４を介してスライドバー４５と連結されている。錠部４３は、リンク部材４４の一端と接続されていて、鍵孔３５Ａに差し込まれた鍵３８が回されると、これに応じてリンク部材４４を回転させるようになっている。
【００４９】
図７（Ａ）〜（Ｃ）、図８（Ａ）〜（Ｃ）に示すように、スライドバー４５は、筐体４０の正面と平行（すなわち下部フレーム３０の左側面と平行）で前後方向に長いバーであり、各ロックレバー部４２の上部と筐体４０の正面の内壁との間に設けられている。スライドバー４５は、リンク部材４４の他端と接続されていて、リンク部材４４が回転することにともなって（つまり鍵孔３５Ａに差し込まれた鍵３８が回されることにともなって）、各ロックレバー部４２（４２Ａ〜４２Ｄ）の上部と筐体４０の正面の内壁との間で、前後方向にスライドするようになっている。
【００５０】
このスライドバー４５は、筐体２の正面の内壁に沿って前後方向に延びる中央板部７０と、中央板部７０の上面から中央板部７０と直交するように筐体４０の裏面の内壁側へと延びる上板部７１と、中央板部７０の下面から中央板部７０と直交するように筐体４０の裏面の内壁側へと延びる下板部７２とで構成されている。尚、スライドバー４５の中央板部７０、上板部７１及び下板部７２も、強度を保つ為に１枚の金属板を折り曲げて成形されている。
【００５１】
さらに図１０（Ａ）、（Ｂ）に示すように、スライドバー４５は、上板部７１の先端面が、各ロックレバー部４２のコロ５３と当接するようになっている。各ロックレバー部４２は、上述したように、トーションバネ６２で付勢されていることにより、コロ５３を常にスライドバー４５の上板部７１の先端面に押し付けるようになっている。尚、各ロックレバー部４２とスライドバー４５の下板部７２は接触しない。
【００５２】
このスライドバー４５の上板部７１の先端面は、各ロックレバー部４２のコロ５３と接触する範囲が、筐体４０の裏面の内側との距離が異なる２つの平面７１Ａ、７１Ｂをなだらかな傾斜で繋いだ段差形状となっている。
【００５３】
したがって、スライドバー４５は、前後方向にスライドすると、各ロックレバー部４２のコロ５３と接触する箇所が、段差の一方の平面７１Ａから他方の平面７１Ｂへ、又はその逆へと切り換わる。
【００５４】
実際、図１０（Ａ）に示すように、各ロックレバー部４２は、コロ５３と接触する箇所が、スライドバー４５の平面７１Ｂから平面７１Ａへと切り替わると、平面７１Ａの方が、筐体４０の裏面の内壁との距離が遠い分、コロ５３が当該内壁から遠ざかる。これにともなって、各ロックレバー部４２は、ロックレバー３７を、筐体４０の外部に突出させる方向（すなわちロック状態となる方向）に回転する。この結果、ロックレバー３７が筐体４０の外部に突出してロック状態となる。
【００５５】
一方で、図１０（Ｂ）に示すように、各ロックレバー部４２は、コロ５３と接触する箇所が、スライドバー４５の平面７１Ａから平面７１Ｂへと切り替わると、平面７１Ｂの方が、筐体４０の裏面の内壁との距離が近い分、コロ５３が当該内壁に近づく。これにともなって、各ロックレバー部４２は、ロックレバー３７を筐体４０内部に収容する方向（すなわちロック解除状態となる方向）に回転する。この結果、ロックレバー３７が筐体４０の内部に収容され、ロック解除状態となる。
【００５６】
尚、ロックレバー部４２は、コロ５３が平面７１Ａに接触しているときに、ロックレバー３７が筐体４０の外部に所定量突出するようになっている。この場合の所定量とは、ロックレバー３７の先端が、少なくともフレーム側孔３３を通ってカセット側孔３４まで到達する量である。
【００５７】
このようにスライドバー４５は、前後方向にスライドすることにともなって、各ロックレバー部４２を回転させることができ、これにより、各ロックレバー３７を筐体４０の外部に突出させてロック状態に遷移させたり、筐体４０の内部に収容してロック解除状態に遷移させたりできるようになっている。
【００５８】
尚、スライドバー４５は、施錠時には、各ロックレバー部４２のコロ５３と、平面７１Ａが接触する位置にあり、開錠時には、各ロックレバー部４２のコロ５３と、平面７１Ｂが接触する位置にある。
【００５９】
カセットロック部３５のロック機構４１は、このような構成となっている。かくして、カセットロック部３５は、鍵孔３５Ａに差し込まれた鍵３８が開錠方向に回されると、これにともなってスライドバー４５がスライドすることにより、各ロックレバー部４２を回転させて各ロックレバー３７をロック解除状態に切り替える。このようにして、カセットロック部３５は、カセット収容部３１に装着された収納カセット１５のロックを解除する。
【００６０】
また、カセットロック部３５は、鍵孔３５Ａに差し込まれた鍵３８が施錠方向に回されると、これにともなってスライドバー４５がスライドするとともに、各ロックレバー部４２がロック状態となる方向に付勢されていることにより、各ロックレバー部４２を、開錠時とは逆方向に回転させて各ロックレバー３７をロック状態に切り替える。このようにして、カセットロック部３５は、カセット収容部３１に装着された収納カセット１５をロックする。その後、鍵孔３５Ａから鍵３８が抜かれても、各ロックレバー３７は、トーションバネ６２によりロック状態を維持する。
【００６１】
［１−４．まとめと効果］
ここまで説明したように、現金自動預払機１は、カセット収容部３１を有する下部フレーム３０を紙幣入出金機４の筐体４Ｃから引き出されるようになっている。そのうえで、第１の実施の形態では、下部フレーム３０の側面に、着脱可能で、各カセット収容部３１から各収納カセット１５を取り外すことができないようにロックする為のカセットロック部３５を取り付けるようにした。
【００６２】
下部フレーム３０は、このカセットロック部３５が取り付けられていることにより、各カセット収容部３１から各収納カセット１５を取り外すことができないようにロックすることができる。この結果、下部フレーム３０は、各カセット収容部３１から各収納カセット１５が取り外されることを規制できる構成、つまりスタッカ構成となる。
【００６３】
一方で、下部フレーム３０は、このカセットロック部３５が取り外されると、各収納カセット１５をカセットロック部３５による規制を受けずに各カセット収容部３１から取り外すことができる。この結果、下部フレーム３０は、各収納カセット１５がカセットロック部３５による取り外しの規制を受けない構成、つまりカセット構成となる。
【００６４】
このように、現金自動預払機１は、カセットロック部３５を下部フレーム３０に取り付けるか、下部フレーム３０から取り外すかといった簡易な作業で、カセット構成とスタッカ構成とを切り換えることができ、かくして、従来と比して容易にカセット構成とスタッカ構成とを切り換えることができる。また、現金自動預払機１は、カセットロック部３５が、複数のロックレバー部４２や錠部４３を有するロック機構４１をアセンブリ化（一体化）したものである為、このカセットロック部３５を下部フレーム３０に着脱するだけで容易にカセット構成による運用とスタッカ構成による運用とを切り換えることができる。
【００６５】
また、カセットロック部３５では、収納カセット１５のカセット側孔３４に先端が挿入されることで収納カセット１５をロックするロックレバー３７を、ロック状態を維持するようにトーションバネ６２で付勢するようにした。そのうえで、ロックレバー３７の形状を、収納カセット１５をカセット収容部３１に挿入するときに収納カセット１５に押されてロック解除状態となる方向に退避する形状（すなわち上面が下方に傾斜していて先細りとなっている形状）とした。
【００６６】
これにより、カセットロック部３５は、ロックレバー３７をロック状態にしたまま、収納カセット１５がカセット収容部３１に挿入されていくと、収納カセット１５の底部がロックレバー３７に当接して押されることで一旦ロック解除状態となり、さらに収納カセット１５を挿入していき、収納カセット１５がカセット収容部３１に完全に装着されると、ロックレバー３７が、収納カセット１５のカセット側孔３４に到達することでカセット側孔３４へと入り込みロック状態に戻る。
【００６７】
このように、カセットロック部３５は、カセット収容部３１に収納カセット１５を装着するだけで、この収納カセット１５を自動的にロックすることができる。また、カセットロック部３５は、ロックレバー３７が収納カセット１５に当接するとロック状態からロック解除状態へと退避する構造となっている為、ロックレバー３７が破損することを防止できる。
【００６８】
また、第１の実施の形態では、下部フレーム３０の左側面の上部に取り付けられるカセットロック部３５の厚さ（左右方向の長さであり下部フレーム３０の左側面からの突出量）を、下部フレーム３０の左側面の下部に設けられた基板収容部３２の厚さ（左右方向の長さであり下部フレーム３０の左側面からの突出量）以下とした。
【００６９】
この為、現金自動預払機１では、カセットロック部３５を下部フレーム３０に取り付けても、基板収容部３２の厚さを含めた下部フレーム３０の幅（左右方向の長さ）は変わらない。これにより、現金自動預払機１は、下部フレーム３０の左側面に新たにカセットロック部３５を取り付ける構成でありながら、下部フレーム３０を収納する紙幣入出金機４の筐体４Ｃのサイズを変更する必要がなく、既存の紙幣入出金機４をそのまま流用することができる。
【００７０】
さらに、カセットロック部３５は、鍵孔３５Ａに１個の鍵３８を差し込んで開錠方向に回すと、全てのロックレバー３７（３７Ａ〜３７Ｄ）をロック解除状態となるようにした。これにより、すべての収納カセット１５（１５Ａ〜１５Ｄ）のロックを一括で解除することができる。また、カセットロック部３５は、鍵孔３５Ａに１個の鍵３８を差し込んで施錠方向に回すと、全てのロックレバー３７（３７Ａ〜３７Ｄ）をロック状態となるようにした。これにより、すべての収納カセット１５（１５Ａ〜１５Ｄ）を一括でロックすることもできる。
【００７１】
さらに、カセットロック部３５は、筐体４０の正面に設けられた鍵孔３５Ａに挿入された鍵３８が回されると、この力を利用してスライドバー４５を筐体４０の正面と平行（すなわち下部フレーム３０の左側面と平行）な前後方向にスライドさせる。さらに、カセットロック部３５は、スライドバー４５の上板部７１に形成されている、筐体４０の裏面との距離が異なる２つの平面７１Ａ、７１Ｂからなる段差に、各ロックレバー部４２のコロ５３を当接させ、スライドバー４５が前後方向にスライドすると、各ロックレバー部４２のコロ５３と当接する箇所が、段差の平面７１Ａから平面７１Ｂへ、またはその逆へと切り替わることで、各ロックレバー部４２をロックレバー３７がロック解除状態となる方向、またはロック状態となる方向に回転させるようにした。
【００７２】
このように、カセットロック部３５は、厚さ方向に可動する範囲を極力小さくすることで、筐体４０の厚さを極力薄くできるので、下部フレーム３０の左側面に取り付けられたときに、下部フレーム３０の左側面からの突出量を極力小さくできる。さらに、可動部分であり大きな力が加わるスライドバー４５と、ロックレバー部４２については、金属板を折り曲げ加工してなる曲げ部（上板部７１及び下板部７２と、側板部５１Ａ及び５１Ｂ）を有する形状としたことで、十分な強度を確保することができる。
【００７３】
［２．第２の実施の形態］
次に、第２の実施の形態について説明する。この第２の実施の形態は、カセットロック部の構成が、第１の実施の形態とは異なる実施の形態である。カセットロック部以外の構成については、第１の実施の形態と同様である為、詳しい説明については第１の実施の形態を参照とする。よって、ここでは、カセットロック部の構成について説明する。
【００７４】
［２−１．カセットロック部の構成］
図１１、図１２（Ａ）〜（Ｄ）を用いて、第２の実施の形態のカセットロック部１００の構成について説明する。カセットロック部１００は、第１の実施の形態のカセットロック部３５に鍵孔３５Ａを覆う鍵孔カバー１０１を追加した構成となっている。尚、図１１、図１２では、第１の実施の形態のカセットロック部３５と同一部分については同一の符号を付してある。
【００７５】
鍵孔カバー１０１は、長方形板状でなる金属製のカバーであり、上下方向の長さが、筐体４０の正面の上下方向の長さよりわずかに長く、前後方向の長さが、鍵孔３５Ａの前後方向の長さより十分長くなっている。
【００７６】
この鍵孔カバー１０１は、筐体４０の正面と対向する裏面の上端部に突設された突部１０１Ａが、筐体４０の上面の、鍵孔３５Ａの上方に位置する箇所に突設されたカバー取り付け部１０２に、前後方向に延びる軸１０３を介して回転自在に支持されている。
【００７７】
これにより、鍵孔カバー１０１は、筐体４０の正面に近づく方向及び正面から遠ざかる方向に回動することができ、筐体４０の正面に近づけられることで、鍵孔３５Ａを覆い、筐体４０の正面から遠ざけられることで、鍵孔３５Ａを露出させる。尚、鍵孔カバー１０１は、前側の側面が、鍵孔３５Ａに差し込まれた鍵３８より前側に位置し、且つ後側の側面が、鍵孔３５Ａに差し込まれた鍵３８より後側に位置するように、筐体４０に取り付けられている。また、鍵孔カバー１０１は、自重により鍵孔３５Ａを覆う方向へ回動することが可能な程度に、その回動角度が規制されていることが望ましい。
【００７８】
この鍵孔カバー１０１は、鍵孔３５Ａに鍵３８が差し込まれているときには、鍵孔３５Ａから突出している鍵３８の頭部の外側に位置することになる。ここで、図１３に示すように、この状態のまま、下部フレーム３０を、紙幣入出金機４の筐体４Ｃに収納する為に、筐体４Ｃに挿入していくとする。
【００７９】
このとき、鍵孔カバー１０１が、カセットロック部１００の正面より外側に出っ張っている為、鍵孔カバー１０１の前側の側面が筐体４Ｃと衝突して、それ以上、下部フレーム３０を挿入できなくなる。
【００８０】
この時点で、作業者は、鍵孔３５Ａに鍵３８が差したままであることに気付くことができ、例えば、鍵孔３５Ａから鍵３８を引き抜いて、鍵孔カバー１０１を閉じてから、再度、下部フレーム３０を、筐体４Ｃに挿入することになる。
【００８１】
このように、現金自動預払機１は、鍵孔３５Ａに鍵３８が差し込まれたまま、下部フレーム３０が、紙幣入出金機４の筐体４Ｃに挿入されたときに、鍵孔３５Ａに差し込まれた鍵３８よりも先に、鍵孔カバー１０１が筐体４Ｃに衝突するようにしたことで、鍵孔３５Ａに差し込まれた鍵３８が筐体４Ｃに衝突して折れてしまうことを防止することができる。
【００８２】
実際、鍵孔３５Ａに差し込まれた状態で鍵３８が折れてしまうと、鍵３８の一部が、鍵孔３５Ａの中に残ってしまう状況が起こり得る。この場合、この鍵３８の一部を鍵孔３５Ａの中から取り出すまで、下部フレーム３０を、紙幣入出金機４の筐体４Ｃに収納できなくなる為、長時間、現金自動預払機１を利用できなくなってしまう。
【００８３】
第２の実施の形態の現金自動預払機１では、このような状況を、鍵孔カバー１０１を設けることで回避できるようになっている。
【００８４】
［２−２．まとめと効果］
ここまで説明したように、第２の実施の形態の現金自動預払機１は、カセットロック部１００に鍵孔３５Ａを覆う鍵孔カバー１０１を設け、鍵孔３５Ａに鍵３８を差し込んだままの状態で、下部フレーム３０が、紙幣入出金機４の筐体４Ｃに挿入された場合、鍵孔カバー１０１が、筐体４Ｃと衝突することで、鍵孔３５Ａに差し込まれた鍵３８が、筐体４Ｃと衝突することを防ぐようにした。
【００８５】
これにより、現金自動預払機１は、鍵孔３５Ａに差し込まれた鍵３８が、紙幣入出金機４の筐体４Ｃと衝突して折れてしまうことを防ぐことができる。
【００８６】
［３．第３の実施の形態］
次に、第３の実施の形態について説明する。この第３の実施の形態は、下部フレームのカセットロック部の取り付け箇所が、第１の実施の形態とは異なる実施の形態である。下部フレームとカセットロック部と収納カセット以外の構成については、第１の実施の形態と同様である為、詳しい説明については第１の実施の形態を参照とする。よって、ここでは、下部ユニットとカセットロック部と収納カセットの構成について説明する。
【００８７】
［３−１．下部フレーム、カセットロック部、収納カセットの構成］
図１４、図１５を用いて、紙幣入出金機４の下部フレーム２００、カセットロック部２０１、収納カセット２０２について説明する。尚、図１４、図１５では、第１の実施の形態の下部フレーム３０、カセットロック部３５、収納カセット１５と同一部分については同一の符号を付してある。
【００８８】
図１４（Ａ）、（Ｂ）に示すように、下部フレーム２００は、カセットロック部２０１の取り付け箇所が、基板収容部３２と同一の左側面ではなく、下面となっている。尚、下部フレーム２００の下面と、下部フレーム２００を収容する紙幣入出金機４の筐体４Ｃの底部との間には、カセットロック部２０１の厚さよりわずかに大きい隙間が形成されている。よって、下部フレーム２００の下面に、カセットロック部２０１を取り付けても、紙幣入出金機４の筐体４Ｃのサイズを変更する必要がなく、既存の紙幣入出金機４をそのまま流用することができる。
【００８９】
この下部フレーム２００は、下面のカセットロック部２０１を取り付ける箇所に、複数のカセット収容部３１（３１Ａ〜３１Ｄ）のそれぞれと連通する複数のフレーム側孔２０３（２０３Ａ〜２０３Ｄ）が形成されている。
【００９０】
また、各収納カセット２０２には、その下面に、カセット収容部３１に装着されたときにフレーム側孔２０３と対向する位置に、フレーム側孔２０３と同形状同サイズでなるカセット側孔２０４が形成されている。
【００９１】
さらに、下部フレーム２００の下面には、全てのフレーム側孔２０３（２０３Ａ〜２０３Ｄ）を覆うカセットロック部２０１が取り付けられている。
【００９２】
このカセットロック部２０１の一側面（例えば左側面）には鍵孔３５Ａが設けられ、このカセットロック部２０１の上面（下部フレーム２００の下面と対向する面）には、複数のフレーム側孔２０３（２０３Ａ〜２０３Ｄ）のそれぞれと対向する位置に、ロック部側孔２０５（２０５Ａ〜２０５Ｄ）が形成されている。さらに、カセットロック部２０１は、各ロック部側孔２０５（２０５Ａ〜２０５Ｄ）から外側に突出するロックレバー２０６（２０６Ａ〜２０６Ｄ）が設けられている。
【００９３】
各ロックレバー２０６は、それぞれの先端が下部フレーム２００の各フレーム側孔２０３を通過して、カセット収容部３１に収容された収納カセット２０２のカセット側孔２０４に挿入されるようになっている。
【００９４】
図１５（Ａ）に示すように、各ロックレバー２０６は、カセット側孔２０４から収納カセット２０２内に挿入される部分に、収納カセット２０２の下面の内壁と対向するかえし面２０６Ａが形成されている。さらに、各ロックレバー２０６は、このかえし面２０６Ａと上端との間の面が、上端からかえし面２０６Ａに向かって傾斜する傾斜面となっていて、全体としてフック形状となっている。
【００９５】
各ロックレバー２０６は、鍵孔３５Ａに差し込まれた鍵３８が回されることに応じて、かえし面２０６Ａが収納カセット２０２の下面の内壁の上に位置するロック状態（図１５（Ａ）の状態）から、収納カセット２０２の下面のカセット側孔２０４の延長上に位置するロック解除状態（図１５（Ｂ）に示す状態）へ、またその逆へと回転できるようになっている。尚、各ロックレバー２０６は、かえし面２０６Ａがカセット側孔２０４の延長上に位置するとき、かえし面２０６Ａだけでなく、ロックレバー２０６全体が、カセット側孔２０４の延長上に位置するようになっている。
【００９６】
そして、各ロックレバー２０６は、かえし面２０６Ａが収納カセット２０２の下面の内壁の上に位置するロック状態にあるとき、収納カセット２０２を上方に引き出そうとしても、収納カセット２０２の下面の内壁が、かえし面に引っ掛かることで、引き出すことができない。このようにして、各ロックレバー２０６は、収納カセット２０２をロックするようになっている。
【００９７】
また、各ロックレバー２０６は、鍵孔３５Ａに差し込まれた鍵３８が開錠方向に回転させられると、全体が収納カセット２０２のカセット側孔２０４の延長上に位置するように回転して、収納カセット２０２の下面の内壁に引っ掛かる部分が無くなることにより、収納カセット２０２を上方に引き出すことができるロック解除状態となる。このようにして、ロックレバー２０６は、収納カセット２０２のロックを解除するようになっている。
【００９８】
さらに、ロックレバー２０６は、かえし面２０６Ａが収納カセット２０２の下面の内壁の上に位置する状態（つまりロック状態）を維持するようにバネなどにより付勢されている。
【００９９】
ここで、図１５（Ｃ）に示すように、ロックレバー２０６をロック状態にしたまま、カセット収容部３１の上方から収納カセット２０２をカセット収容部３１内に挿入していくと、収納カセット２０２のカセット側孔２０４の縁がロックレバー２０６の傾斜面に当接する。さらに、図１５（Ｄ）に示すうように、収納カセット２０２を下方に挿入していくと、収納カセット２０２のカセット側孔２０４の縁によって、ロックレバー２０６が収納カセット２０２のカセット側孔２０４の内側へと押されてロック解除状態へと一旦退避することにより、ロックが解除された状態となる。
【０１００】
そのまま、さらに、収納カセット２０２を下方に挿入していき、収納カセット２０２がカセット収容部３１に完全に装着されると、このとき、図１５（Ａ）に示すように、収納カセット２０２のカセット側孔２０４の縁が、ロックレバー２０６の傾斜面を通り過ぎることにより、ロックレバー２０６が押し戻されて、かえし面２０６Ａが収納カセット２０２の下面の上に位置することにより、ロック状態に戻る。
【０１０１】
このように、カセットロック部２０１は、カセット収容部３１に収納カセット２０２を装着する過程で、この収納カセット２０２を自動的にロックできるようになっている。
【０１０２】
さらに、このカセットロック部２０１は、下部フレーム２００に対して着脱可能となっている。詳しい説明は省略するが、カセットロック部２０１は、ロックを解除する鍵３８を利用して下部フレーム２００から取り外したり取り付けたりできるようになっている。
【０１０３】
［３−２．まとめと効果］
ここまで説明したように、第３の実施の形態では、下部フレーム２００の下面に、着脱可能で、カセット収容部３１から収納カセット２０２を取り外すことができないようにロックする為のカセットロック部２０１を取り付けるようにした。
【０１０４】
この場合も、現金自動預払機１は、カセットロック部２０１を下部フレーム２００に取り付けるか、下部フレーム２００から取り外すかといった簡易な作業で、カセット構成とスタッカ構成とを切り換えることができ、かくして、従来と比して容易にカセット構成とスタッカ構成とを切り換えることができる。
【０１０５】
また、第３の実施の形態のカセットロック部２０１も、カセット収容部３１に収納カセット２０２を装着するだけで、この収納カセット２０２を自動的にロックすることができ、また、ロックレバー２０６が収納カセット２０２に当接するとロック状態からロック解除状態へと退避する構造となっている為、ロックレバー２０６が破損することを防止できる。
【０１０６】
［４．他の実施の形態］
［４−１．他の実施の形態１］
尚、上述した第１の実施の形態では、カセットロック部３５によって、下部ユニット４Ａに装着される複数の収納カセット１５（１５Ａ〜１５Ｄ）の全てをロックするようにした。これに限らず、例えば、図１６に示すように、カセットロック部３５に設けられている複数のロックレバー３７（３７Ａ〜３７Ｄ）のうちの任意のロックレバー３７（例えばロックレバー部３７Ｄ）を、ロックレバー部４２ごとカセットロック部３５から取り外すことで、下部ユニット４Ａに装着される複数の収納カセット１５のうちの特定の収納カセット１５（例えば収納カセット１５Ａ〜１５Ｃ）のみをロックするようにしてもよい。このようにすれば、現金自動預払機１を、スタッカ構成とカセット構成を混在させた構成とすることができる。このことは、第２及び第３の実施の形態についても同様である。
【０１０７】
［４−２．他の実施の形態２］
また、上述した第３の実施の形態では、下部フレーム２００のカセット収容部３１に収納カセット２０２を挿入していくと、ロック状態のロックレバー２０６が収納カセット２０２に押されてロック解除状態へと退避することで一旦ロックが解除された状態となり、さらに収納カセット２０２を挿入していき、収納カセット２０２が完全に装着されると、退避していたロックレバー２０６が元のロック状態に戻ることで、収納カセット２０２を自動的にロックするようにした。
【０１０８】
これに限らず、図１７（Ａ）、（Ｂ）に示すように、鍵孔３５Ａに差し込んだ鍵３８を開錠方向に回して、ロックレバー３００によるロック状態を解除してからでないと、下部フレーム２００のカセット収容部３１に収納カセット２０２を装着することができず、またカセット収容部３１に収納カセット２０２を装着した後、鍵３８を施錠方向に回して、ロックレバー３００をロック状態に遷移させないと、収納カセット２０２をロックできないようにしてもよい。
【０１０９】
具体的には、カセットロック部２０１に、Ｌ字型に折り曲げられた棒状でなるロックレバー３００を設けるようにする。このロックレバー３００は、カセットロック部２０１の上面から上方に延びる根元部３００Ａと、根元部３００Ａの先端から根元部３００Ａと直交する方向に延びる先端部３００Ｂとで構成され、全体としてＬ字型のフック形状となっている。
【０１１０】
このロックレバー３００は、鍵孔３５Ａに差し込まれた鍵３８が開錠方向に回されると、根元部３００Ａを軸に回転して、根元部３００Ａと先端部３００Ｂの両方がフレーム側孔２０３の延長上に収まることにより、ロック解除状態となる。このとき、下部フレーム２００では、カセット収容部３１に収納カセット２０２を装着したり、取り外したりできる状態となる。
【０１１１】
一方で、このロックレバー３００は、鍵孔３５Ａに差し込まれた鍵３８が施錠方向に回されると、根元部３００Ａを軸に回転して、先端部３００Ｂが、フレーム側孔２０３の延長上からはみ出すことにより、ロック状態となる。このとき、下部フレーム２００では、カセット収容部３１に収納カセット２０２を装着することはできず、また装着された収納カセット２０２をロックした状態となる。
【０１１２】
このように動作するロックレバー３００により、鍵３８を用いて手動で施錠したり、開錠したりしないと、収納カセット２０２を装着したり取り外したりできないようにすることができる。
【０１１３】
尚、上述した第１の実施の形態についても同様に、鍵孔３５Ａに差し込まれた鍵３８が開錠方向に回された場合にのみ、ロックレバー３７をカセットロック部３５の内部へと収容し、鍵孔３５Ａに差し込まれた鍵３８が施錠方向に回された場合にのみ、ロックレバー３７をカセットロック部３５から突出するような構造にして、手動で施錠したり開錠したりしないと、収納カセット１５を装着したり取り外したりできないようにしてもよい。この場合、ロックレバー３７の形状については、先細り形状でなくてもよい。第２の実施の形態についても同様である。
【０１１４】
［４−３．他の実施の形態３］
また、上述した第１及び第２の実施の形態では、カセットロック部３５の正面に鍵孔３５Ａを設けるようにしたが、これに限らず、上面や側面に鍵孔３５Ａを設けるようにしてもよい。第３の実施の形態についても同様に、カセットロック部２０１の左側面に鍵孔３５Ａを設けるようにしたが、前面や後面、右側面に鍵孔３５Ａを設けるようにしてもよい。
【０１１５】
［４−４．他の実施の形態４］
さらに、上述した第１の実施の形態では、装填庫１６と取込庫１７とリジェクト庫１８が含まれる後部ユニット４Ｂが実装された現金自動預払機１について説明したが、これに限らず、後部ユニット４Ｂについては、現金自動預払機１に実装されていなくてもよい。
【０１１６】
［４−５．他の実施の形態５］
さらに、上述した第１の実施の形態では、下部フレーム３０の外側において、カセットロック部３５の締結箇所と下部フレーム３０の左側面の所定箇所とを、ネジもしくはカシメにより固定することで、カセットロック部３５を下部フレーム３０に対して着脱可能に取り付けるようにした。これに限らず、例えば、カセットロック部３５の裏面などに締結箇所を設け、この締結箇所と下部フレーム３０の左側面とを、下部フレーム３０の内側となるカセット収容部３１内から、ネジもしくはカシメにより固定することで、カセットロック部３５を下部フレーム３０に対して着脱可能に取り付けるようにしてもよい。この場合、収納カセット１５がカセット収容部３１に装着されているとき、下部フレーム３０にカセットロック部３５を固定しているネジもしくはカシメ等の締結箇所を、収納カセット１５で覆うような状態となる。したがって、カセット収容部３１から収納カセット１５を取り外した状態でないと、カセットロック部３５を下部フレーム３０に対して着脱できなくなる為、カセット収容部３１から収納カセット１５を取り外すときに必要となる鍵３８がないとカセットロック部３５を着脱することもできなくなり、セキュリティが向上する。
【０１１７】
［４−６．他の実施の形態６］
さらに、上述した各実施の形態では、本発明を、媒体処理装置としての現金自動預払機１に適用したが、これに限らず、収納カセットを装着可能で、筐体に対して引出及び収納可能なフレームを有する媒体処理装置であれば、現金自動預払機１とは異なる構成の自動取引装置にも適用できる。例えば、紙、切符など、紙幣以外の媒体を扱う自動取引装置であっても、収納カセットを装着可能で、筐体に対して引出及び収納可能なフレームを有する媒体処理装置であれば適用できる。
【０１１８】
さらに、上述した各実施の形態では、紙幣入出金機４の筐体４Ｃから引出及び収納可能で収納カセット１５、２０２を装着可能なフレームの具体例として、下部フレーム３０、２００を用いたが、これに限らず、筐体から引出及び収納可能で収納カセットを装着可能なフレームであれば、下部フレーム３０、２００とは構造が異なるフレームを用いるようにしてもよい。
【０１１９】
さらに、上述した各実施の形態では、フレームに装着された収納カセットがフレームから取り外されることを規制する着脱規制部の具体例として、カセットロック部３５、１００、２０１を用いたが、これに限らず、収納カセットがフレームから取り外されることを規制することができるものであれば、カセットロック部３５、１００、２０１とは構成が異なる着脱規制部を用いてもよい。
【０１２０】
さらに、上述した各実施の形態では、フレームから収納カセットが取り外されることを規制する規制部材の具体例として、ロックレバー３７、２０６、３００を用いたが、これに限らず、フレームから収納カセットが取り外されることを規制できるものであれば、ロックレバー３７、２０６、３００とは構成が異なる規制部材を用いてもよい。例えば、カセットロック部３５側に、ロックレバー３７に代えて左右方向に移動可能でカセット側孔３４に挿入されるピンを設け、このピンとカセット側孔３４とで、収納カセット１５の取り外しを規制するようにしてもよい。また、例えば、収納カセット１５側に、カセット側孔３４に代えて凸部を形成するとともに、カセットロック部３５側には、ロックレバー３７に代えて収納カセット１５側に形成した凸部が引っ掛かるフック形状でなる規制部材を設け、収納カセット１５を取り外そうとしたときに、収納カセット１５側の凸部が、カセットロック部３５の規制部材に引っ掛かることで、収納カセット１５の取り外しを規制するようにしてもよい。
【０１２１】
さらに、上述した第１の実施の形態では、各ロックレバー３７を、下部フレーム３０から収納カセット１５を取り外すことができないようにするロック状態、又は下部フレーム３０から収納カセット１５を取り外すことができるようにするロック解除状態に切り替える為のロック機構として、複数のロックレバー部４２（４２Ａ〜４２Ｄ）と、錠部４３と、リンク部材４４と、スライドバー４５とでなるロック機構４１を用いたが、これに限らず、各ロックレバー３７をロック状態又はロック解除状態に切り替えることができるものであれば、ロック機構４１とは異なる構造のロック機構を用いるようにしてもよい。
【０１２２】
さらに、上述した第１の実施の形態では、カセットロック部３５において、スライドバー４５により１つの錠部４３で複数のロックレバー３７をロック状態からロック解除状態へと一括で切り替えるようにしたが、これに限らず、複数のロックレバー３７ごとに錠部４３を設け、各ロックレバー３７を個別にロック状態からロック解除状態へと切り替えるようにしてもよい。第２、第３の実施の形態についても同様である。尚、このように錠部４３を複数設けると、鍵孔３５Ａも複数設けることになる。この場合、複数の鍵孔３５Ａのそれぞれを覆う複数の鍵孔カバー１０１を設けるようにしてもよいし、複数の鍵孔３５Ａの全てを覆う１個の鍵孔カバー１０１を設けるようにしてもよい。
【０１２３】
さらに、上述した第１の実施の形態では、ロック機構４１に、下部フレーム３０に収納カセット１５が装着されているかどうかに依らず、常に各ロックレバー３７をロック状態となる方向へ付勢する付勢手段の具体例として、トーションバネ６２を用いたが、これに限らず、常に各ロックレバー３７をロック状態となる方向へ付勢できるものであれば、トーションバネ６２以外の付勢部材を用いてもよい。
【０１２４】
さらに、上述した第２の実施の形態では、鍵孔３５Ａに鍵３８が差し込まれたままの状態で下部フレーム３０が筐体４Ｃに収納されることを規制する鍵孔カバーの具体例として、鍵孔カバー１０１を用いたが、これに限らず、鍵孔３５Ａに鍵３８が差し込まれたままの状態で下部フレーム３０が筐体４Ｃに収納されることを規制できるものであれば、鍵孔カバー１０１とは構成が異なる鍵孔カバーを用いてもよい。
【０１２５】
さらに、上述した第１の実施の形態では、各ロックレバー３７をロック状態からロック解除状態となる方向に可動させるスライドバーの具体例として、スライドバー４５を用いたが、これに限らず、ロックレバー３７をロック状態からロック解除状態となる方向に可動させることができるものであれば、スライドバー４５とは構造が異なるスライドバーを用いてもよい。
【０１２６】
さらに、上述した第１の実施の形態では、規制部材と一体に形成されていてスライドバーのスライドにともなって回転する回転部材の具体例として、ロックレバー部４２を用いたが、これに限らず、規制部材と一体に形成されていてスライドバーのスライドにともなって回転することができるものであれば、ロックレバー部４２とは構成が異なる回転部材を用いてもよい。
【０１２７】
さらに、上述した第１の実施の形態では、フレームの側面から突出する突出部の具体例としての基板収容部３２が下部フレーム３０の左側面に設けられ、カセットロック部３５の突出量を、基板収容部３２の突出量以下とした。これに限らず、下部フレーム３０の左側面に基板収容部３２以外の突出部が設けられていてもよい。この場合も、カセットロック部３５の突出量を、この突出部の突出量以下とすればよい。
【０１２８】
［４−７．他の実施の形態７］
さらに、本発明は、上述した各実施の形態に限定されるものではない。すなわち本発明は、上述した第１〜第３の実施の形態と他の実施の形態の一部または全部を任意に組み合わせた実施の形態や、一部を抽出した実施の形態にもその適用範囲が及ぶものである。
【産業上の利用可能性】
【０１２９】
本発明は、媒体を鑑別する媒体鑑別装置や、媒体鑑別装置としての鑑別部を有する自動取引装置で広く利用することができる。
【符号の説明】
【０１３０】
１……現金自動預払機、４Ａ……下部ユニット、４Ｃ……筐体、１４……紙幣収納部、１５、２０２……収納カセット、３０、２００……下部フレーム、３１……カセット収容部、３２……基板収容部、３３、２０３……フレーム側孔、３４、２０４……カセット側孔、３５、１００、２０１……カセットロック部、３５Ａ……鍵孔、３６、２０５……ロック部側孔、３７……ロックレバー、３８……鍵、４１……ロック機構、４２、２０６、３００……ロックレバー部、４３……錠部、４５……スライドバー、６０、１０３……軸、６２……トーションバネ、１０１……鍵孔カバー。
【図１】
2019206442.tif 000003
【図２】
2019206442.tif 000004
【図３】
2019206442.tif 000005
【図４】
2019206442.tif 000006
【図５】
2019206442.tif 000007
【図６】
2019206442.tif 000008
【図７】
2019206442.tif 000009
【図８】
2019206442.tif 000010
【図９】
2019206442.tif 000011
【図１０】
2019206442.tif 000012
【図１１】
2019206442.tif 000013
【図１２】
2019206442.tif 000014
【図１３】
2019206442.tif 000015
【図１４】
2019206442.tif 000016
【図１５】
2019206442.tif 000017
【図１６】
2019206442.tif 000018
【図１７】
2019206442.tif 000019